(57)【要約】【課題】ドアノブ組立体の取り付けや取り外しを容易に行えるようにする。【解決手段】前記ドアノブ組立体４が収容される切欠き凹部３１は、前記ドア本体３の端縁部の一部を切り欠くように形成されているので、既に組み立てた状態の前記ドアノブ組立体４をそのまま該切欠き凹部３１に取り付けたり該切欠き凹部３１から取り外したりでき、該取り付けや取り外しの際に該ドアノブ組立体４を組み立てたり分解したりする必要が無い。そのため、該ドアノブ組立体４の取り付けや取り外しを容易に行える。【選択図】図１
2018150708.tif 000002
【特許請求の範囲】
【請求項１】
揺動軸の周りに揺動可能となるように支持されてなる間仕切りドアにおいて、
両表面に形成されてなる切欠き凹部を有するドア本体と、
該木口面の側に突出自在となる状態で該切欠き凹部に収容されたラッチ部と、該切欠き凹部から前記ドア本体の少なくとも一方の表面の側に突出するように配置されてなるドアノブ部と、前記切欠き凹部に収容されると共に該ドアノブ部の回転運動を前記ラッチ部の往復動に変換するラッチ駆動部と、を有するドアノブ組立体と、
該切欠き凹部を閉塞するように前記ドア本体の一方の表面及び他方の表面に沿うように形成されてなると共に、前記ラッチ部が挿通されるラッチ用開口部と前記ドアノブ部が挿通されるドアノブ用開口部とを有する切欠き凹部用カバー部材と、
を備えたことを特徴とする間仕切りドア。
【請求項２】
前記切欠き凹部用カバー部材は、前記ドアノブ組立体を支持するドアノブ支持部を有する、
ことを特徴とする請求項１に記載の間仕切りドア。
【請求項３】
前記切欠き凹部用カバー部材と前記ドア本体の表面とは着脱可能な接着剤により接着されてなる、
ことを特徴とする請求項１又は２に記載の間仕切りドア。
【発明の詳細な説明】
【技術分野】
【０００１】
本発明は、揺動軸の周りに揺動可能となるように支持されてなる間仕切りドアに関する。
【背景技術】
【０００２】
従来、間仕切りドアについては種々の構造のものが提案されている（例えば、特許文献１参照）。図３（ａ）（ｂ）は、従来の間仕切りドアの構造の一例を示す分解斜視図であり、図中の符号１０３はドア本体を示し、符号１０４はドアノブ組立体を示し、符号１４１は、該ドアノブ組立体１０４のドアノブ部を示し、符号１４２は、該ドアノブ組立体１０４のラッチ部を示し、符号１３１は、前記ドアノブ部１４１が挿入されるドアノブ用開口部を示し、符号１３２は、前記ラッチ部１４２が挿入されるラッチ用開口部を示している。
【先行技術文献】
【特許文献】
【０００３】
【特許文献１】特開２００９−２６３８６６号公報
【発明の概要】
【発明が解決しようとする課題】
【０００４】
ところで、多量の住戸（例えば、大規模マンションや、オリンピックなどのイベントが開催される際に選手や関係者が宿泊するための宿泊施設や、被災者のための仮設住宅）やその他の建物を建設する場合には、当然ながら、上述のような間仕切りドアを多量に運搬し設置する必要がある。また、設置した多量の間仕切りドアを取り外して搬出しなければならない場合もある。例えば、上述のイベント終了後に宿泊施設をリフォームして一般住宅として分譲等するために間仕切りドアを撤去する場合や、上述の仮設住宅を再利用できるように解体する場合などである。
【０００５】
しかしながら、前記ドアノブ組立体１０４を取り付けた状態で間仕切りドア１０１を運搬しようとした場合、前記ドアノブ部１４１が前記ドア本体１０３から突出するために荷姿が悪くなり、運搬効率が悪くなってしまうという問題があった。また、該運搬効率を良くするために前記ドアノブ組立体１０４を取り外して運搬を行う場合には、該ドアノブ組立体１０４の取り付け作業を現地（つまり、住宅等を建設する現場）で行わなければならないが、そのためには、
・  前記ドアノブ部１４１を前記ドア本体１０３のドアノブ用開口部１３１に挿入し、
・  前記ラッチ部１４２を前記ドア本体１０３のラッチ用開口部１３２に挿入し、
・  該挿入したドアノブ部１４１とラッチ部１４２とを連結する、
という作業（つまり、前記ドアノブ組立体１０４を組み立てながら前記ドア本体１０３に取り付けるという複数の作業）を行わなければならず、作業が煩雑になってしまうという問題があった。さらに、該ドアノブ組立体１０４を前記ドア本体１０３から取り外す際も同様であって、
・  前記ドアノブ部１４１を前記ラッチ部１４２から取り外しながら前記ドアノブ用開口部１３１から取り出し、
・  前記ラッチ部１４２を前記ドア本体１０３のラッチ用開口部１３２から取り出す、
という作業（つまり、前記ドアノブ組立体１０４を分解しながら前記ドア本体１０３から取り外すという複数の作業）を行わなければならず、作業が煩雑になってしまうという問題があった。またさらに、それらの作業は作業者がそれらの開口部１３１，１３２に顔を近づけて行わなければならないことから、無理な姿勢での作業となり、作業者に負担が掛かって作業効率も悪くなってしまうという問題があった。
【０００６】
本発明は、上述の問題を解消することのできる間仕切りドアを提供することを目的とするものである。
【課題を解決するための手段】
【０００７】
本発明の第１の観点は、図１（ａ）（ｂ）に例示するものであって、揺動軸（２）の周りに揺動可能となるように支持されてなる間仕切りドア（１）において、
両表面（３ｂ，３ｃ）に形成されてなる切欠き凹部（３１）を有するドア本体（３）と、
該木口面（３ａ）の側に突出自在となる状態で該切欠き凹部（３１）に収容されたラッチ部（４２）と、該切欠き凹部（３１）から前記ドア本体（３）の少なくとも一方の表面（３ｂ又は３ｃ）の側に突出するように配置されてなるドアノブ部（４１）と、前記切欠き凹部（３１）に収容されると共に該ドアノブ部（４１）の回転運動を前記ラッチ部（４２）の往復動に変換するラッチ駆動部（４３）と、を有するドアノブ組立体（４）と、
該切欠き凹部（３１）を閉塞するように前記ドア本体（３）の一方の表面（３ｂ）及び他方の表面（３ｃ）に沿うように形成されてなると共に、前記ラッチ部（４２）が挿通されるラッチ用開口部（５２）と前記ドアノブ部（４１）が挿通されるドアノブ用開口部（５１）とを有する切欠き凹部用カバー部材（５）とを備えたことを特徴とする。
【０００８】
本発明の第２の観点は、前記切欠き凹部用カバー部材（５）が、前記ドアノブ組立体（４）を支持するドアノブ支持部（不図示）を有することを特徴とする。
【０００９】
本発明の第３の観点は、前記切欠き凹部用カバー部材（５）と前記ドア本体（３）の表面（３ｂ，３ｃ）とは着脱可能な接着剤（不図示）により接着されてなることを特徴とする。
【００１０】
なお、括弧内の番号などは、図面における対応する要素を示す便宜的なものであり、従って、本記述は図面上の記載に限定拘束されるものではない。
【発明の効果】
【００１１】
上記した第１の観点によれば、前記ドアノブ組立体が収容される切欠き凹部は、前記ドア本体の両表面に形成されているので（つまり、該ドア本体の一部を切り欠くように形成されているので）、既に組み立てた状態の前記ドアノブ組立体をそのまま該切欠き凹部に取り付ければ良い。したがって、該ドアノブ組立体の組み立てを現地（つまり、住宅等を建設する現場）で行う必要が無く、その分、作業が簡素化される。また、該ドアノブ組立体を前記ドア本体から取り外す際も同様であって、該ドアノブ組立体を分解する必要が無くそのまま該ドア本体から取り外すことができ、その分、作業が簡素化される。さらに、前記ドアノブ組立体の組み立てや分解は、該ドア本体から離れた任意の場所で行うことができ（例えば、工場で組み立てまで行うことができ）、現地の作業者に負担がかからず作業効率も悪くならないという効果がある。
【００１２】
上記した第２の観点によれば、前記ドア本体に取り付けない状態の該切欠き凹部用カバー部材に該ドアノブ組立体を支持させたり該切欠き凹部用カバー部材から該ドアノブ組立体を取り外したりすることができる。それらの作業を作業者は楽な姿勢で行うことができるので、作業者の作業負担が軽減され、作業効率を良くすることができる。
【００１３】
上記した第３の観点によれば、前記切欠き凹部用カバー部材を前記ドア本体から容易に取り外すことができ、前記ドアノブ組立体の前記ドア本体からの取り外し作業を簡素化することができる。また、その取り外しの際に該ドア本体を壊してしまうこともなく、該ドア本体をそのまま再利用することができる。
【図面の簡単な説明】
【００１４】
【図１】図１（ａ）は、本発明に係る間仕切りドアの構造の一例を示す分解斜視図であり、同図（ｂ）は、ドアノブ部分の構造の一例を示す拡大分解斜視図である。
【図２】図２（ａ）は、ドアノブ部分の構造の一例を示す水平断面図であり、同図（ｂ）は、ヒンジ部分の構造の一例を示す水平断面図である。
【図３】図３（ａ）（ｂ）は、従来の間仕切りドアの構造の一例を示す分解斜視図である。
【発明を実施するための形態】
【００１５】
以下、図１及び図２に沿って、本発明の実施の形態について説明する。
【００１６】
本発明に係る間仕切りドアは、図１（ａ）に符号１で例示するものであって、揺動軸２の周りに揺動可能となるように支持されたものである。なお、該間仕切りドア１を揺動可能に支持する方法としては、
・  ヒンジ（図２（ｂ）の符号６参照）により支持する方法や、
・  種々の回転軸芯により支持する方法、
などを挙げることができる。
【００１７】
本発明に係る間仕切りドア１は略矩形状をしたドア本体３を備えており、該ドア本体３には、その両表面３ｂ，３ｃに切欠き凹部（孔部）３１が形成されている。つまり、該切欠き凹部３１は、該ドア本体３の端縁部の一部において前記木口面３ａ及び前記両表面３ｂ，３ｃを貫通するように形成されている。ここで、前記ドア本体３の表面３ｂ，３ｃとは、該ドア本体３が建物に取り付けられた場合に部屋や廊下に面する面（つまり、部屋や廊下に露出される側の面）を意味する。このドア本体３は、木や金属で形成しても良いが、軽量でかつ再生可能な段ボールや樹脂で形成するようにしても良い。
【００１８】
また、本発明に係る間仕切りドア１はドアノブ組立体４を備えている。このドアノブ組立体４は、図１（ｂ）及び図２（ａ）に詳示するように、ドアノブ部４１とラッチ部４２とラッチ駆動部４３とからなる。このうちのラッチ部４２は、前記木口面３ａの側に突出自在となる状態で該切欠き凹部３１に収容されている。また、該ドアノブ部４１は、該切欠き凹部３１から前記ドア本体３の表面３ｂ，３ｃの側に突出するように配置されている。さらに、ラッチ駆動部４３は、前記切欠き凹部３１に収容されており、該ドアノブ部４１の回転運動を前記ラッチ部４２の往復動に変換するように構成されている。なお、本発明に係る間仕切りドア１は、部屋と部屋の間や部屋と廊下との間に配置されているドアであっても良いが、その他のドア（例えば、クローゼットのドアや、棚のドア）であっても良い。また、図１（ａ）（ｂ）に示す例では、ドアノブ部４１は、前記ドア本体３の両方の表面３ｂ，３ｃの側に突出するように配置されているが、もちろんこれに限られるものではなく、例えば、クローゼットや棚のドアとして使用する場合には少なくとも一方の表面３ｂ又は３ｃの側に突出するように配置されていると良い。さらに、図１（ａ）に例示する揺動軸２は鉛直方向ｚに沿ったものであるが、もちろんこれに限られるものではなく、鉛直方向以外の方向（例えば、水平方向）に沿ったものとしても良い。例えば、棚等に使用されて上下に揺動されるドアであっても良い。
【００１９】
さらに、本発明に係る間仕切りドア１は、前記切欠き凹部３１を閉塞するための切欠き凹部用カバー部材５を備えている。図１（ａ）に例示する切欠き凹部３１は、前記ドア本体３の縦方向ｚ（つまり、前記揺動軸２に沿った方向）に沿った端縁部における木口面３ａから両表面３ｂ，３ｃにかけて形成されているが、そのような場合には、前記切欠き凹部用カバー部材５は、前記ドア本体３の一方の表面３ｂ、前記木口面３ａ、及び他方の表面３ｃに沿うように断面が略コ字状に形成すると共に、図１（ｂ）に詳示するように、
・  前記ドアノブ部４１が挿通されるドアノブ用開口部５１と、
・  前記ラッチ部４２が挿通されるラッチ用開口部５２と、
を有するようにすると良い。また、前記切欠き凹部を、木口面２ａにまで到達しないような孔部（つまり、両表面３ｂ，３ｃを貫通するように形成される孔部）にする場合には、前記切欠き凹部用カバー部材は、断面を略コ字状にするのではなく、前記一方の表面３ｂと前記他方の表面３ｃとにそれぞれ貼付した平板状にすると良い。この切欠き凹部用カバー部材５は、金属や硬質樹脂や木などで形成すると良い。またさらに、該切欠き凹部用カバー部材５を覆うように、前記ドア本体３の端面に沿って端面用カバー部材７を配置するようにしても良い。図１（ａ）に示す例では、該端面用カバー部材７は、前記ドア本体３の木口面３ａ及びその反対側の面にそれぞれ配置しているが、もちろんこれに限られるものではなく、該ドア本体３の上端面及び下端面をも覆うように一体的に配置しても良い。また、前記間仕切りドア１は間仕切り壁９，９の間に配置すると良く、該間仕切り壁９にも端面用カバー部材７，８を配置しておくと良い。
【００２０】
本発明によれば、前記ドアノブ組立体４が収容される切欠き凹部３１は、前記ドア本体３の両表面３ｂ，３ｃに形成されているので（つまり、該ドア本体３の一部を切り欠くように形成されているので）、既に組み立てた状態の前記ドアノブ組立体４をそのまま該切欠き凹部３１に取り付ければ良い。したがって、該ドアノブ組立体４の組み立てを現地（つまり、住宅等を建設する現場）で行う必要が無く、その分、作業が簡素化される。また、該ドアノブ組立体４を前記ドア本体３から取り外す際も同様であって、該ドアノブ組立体４を分解する必要が無くそのまま該ドア本体３から取り外すことができ、その分、作業が簡素化される。さらに、前記ドアノブ組立体４の組み立てや分解は、該ドア本体３から離れた任意の場所で行うことができ（例えば、工場で組み立てまで行うことができ）、現地の作業者に負担がかからず作業効率も悪くならないという効果がある。
【００２１】
ところで、前記ドアノブ組立体４を前記ドア本体３に支持させる態様を本発明の範囲から除外するものではないが、該ドアノブ組立体４を支持するドアノブ支持部（不図示）を前記切欠き凹部用カバー部材５に設けておいて、該ドアノブ組立体４を前記ドア本体３に支持させるのではなく該切欠き凹部用カバー部材５により支持させるようにしても良い。このドアノブ支持部は、該ドアノブ組立体４を支持できる構造であればどのような構造であっても良く、例えば、該ドアノブ組立体４を取り付けるためのネジ孔であっても、該該ドアノブ組立体４を係止する係止部（凹部など）であっても良い。そして、該ドアノブ組立体４が該切欠き凹部用カバー部材５のドアノブ支持部により支持されるようにした場合には、前記ドア本体３に取り付けない状態の該切欠き凹部用カバー部材５に該ドアノブ組立体４を支持させたり該切欠き凹部用カバー部材５から該ドアノブ組立体４を取り外したりすることができる。それらの作業を作業者は楽な姿勢で行うことができるので、作業者の作業負担が軽減され、作業効率を良くすることができる。
【００２２】
さらに、前記切欠き凹部用カバー部材５と前記ドア本体３の表面３ｂ，３ｃとは着脱可能な接着剤により接着するようにすると良い。そのような接着剤としては、カーペットなどの接着に用いられるようなもので、貼ったり剥がせたりできるタイプのもの（例えば、セメダイン株式会社製のＥＭ３４１やＢＢＸなど）を挙げることができる。そのような接着剤を使用した場合には、前記切欠き凹部用カバー部材５を前記ドア本体３から容易に取り外すことができ、前記ドアノブ組立体４の前記ドア本体３からの取り外し作業を簡素化することができる。また、その取り外しの際に該ドア本体３を壊してしまうこともなく、該ドア本体３をそのまま再利用することができる。
【符号の説明】
【００２３】
１                          間仕切りドア
２                          揺動軸
３                          ドア本体
３ａ                        木口面
３ｂ，３ｃ                  表面
４                          ドアノブ組立体
５                          切欠き凹部用カバー部材
３１                        切欠き凹部
４１                        ドアノブ部
４２                        ラッチ部
４３                        ラッチ駆動部
５１                        ドアノブ用開口部
５２                        ラッチ用開口部
ｚ                          縦方向
【図１】
2018150708.tif 000003
【図２】
2018150708.tif 000004
【図３】
2018150708.tif 000005